(57)【特許請求の範囲】
【請求項１】
複数のディスク載置部を有するロータリートレイが筐体のトレイ支持面に設けた中心軸に回転可能に枢支されると共に、前記ロータリートレイの下面に突設したリムが前記トレイ支持面の外周部に周方向所定間隔をおいて複数設けたガイドローラ上に移動可能に載置されされており、ロータリートレイを所定角度間欠回転させることにより、所望のディスク載置部に載置されているディスクを光ピックアップに対向させるようにしたディスクチェンジャー型ディスクプレーヤーにおいて、前記各ガイドローラに代えて摩擦係数の小さいフッ素樹脂からなる複数の滑面ブロックが用いられ、該各滑面ブロックが、前記トレイ支持面の外周部内縁に沿って形成した凹段部周面と、該凹段部周面に対向して前記トレイ支持面の外周部に一体形成した略コ字状枠本体及び該枠本体の両端に一体突設した一対の略Ｌ字状係止片からなる支持枠との間の空隙内に嵌め込まれていることを特徴とするディスクチェンジャー型ディスクプレーヤー。
【請求項２】
複数のディスク載置部を有するロータリートレイが筐体のトレイ支持面に設けた中心軸に回転可能に枢支されると共に、前記ロータリートレイの下面に突設したリムが前記トレイ支持面の外周部に設けたガイド部材上に移動可能に載置されされており、ロータリートレイを所定角度間欠回転させることにより、所望のディスク載置部に載置されているディスクを光ピックアップに対向させるようにしたディスクチェンジャー型ディスクプレーヤーにおいて、前記ガイド部材が、前記トレイ支持面の外周部に周方向所定間隔をおいて配列した摩擦係数の小さい複数の滑面ブロックからなることを特徴とするディスクチェンジャー型ディスクプレーヤー。
【請求項３】
前記各滑面ブロックが、前記トレイ支持面の外周部内縁に沿って形成した凹段部周面と、該凹段部周面に対向して前記トレイ支持面の外周部に一体形成した支持枠との間の空隙内に嵌め込まれていることを特徴とする請求項２記載のディスクチェンジャー型ディスクプレーヤー。
【請求項４】
前記支持枠が、前記トレイ支持面の外周部に一体形成した略コ字状枠本体と、該枠本体の両端に一体突設した一対の略Ｌ字状係止片とからなり、その枠本体及び両係止片と前記凹段部周面との間の空隙内に前記各滑面ブロックを嵌め込むようにしたことを特徴とする請求項３記載のディスクチェンジャー型ディスクプレーヤー。
【請求項５】
前記各滑面ブロックがフッ素樹脂からなることを特徴とする請求項２記載から４のいずれかに記載のディスクチェンジャー型ディスクプレーヤー。
【発明の詳細な説明】
【０００１】
【発明の属する技術分野】
本発明は、例えばＤＶＤ（Ｄｉｇｉｔａｌ  Ｖｅｒｓａｔｉｌ  Ｄｉｓｃ）チェンジャーセットなどのコンパクトで回転性及び静音性に優れたディスクチェンジャー型ディスクプレーヤーに関する。
【０００２】
【従来の技術】
従来、ディスクチェンジャー型ディスクプレーヤーの技術として実開平４ ５８８４２号公報などに記載したものがあり、その一例を図７及び図８に基づいて説明すると、複数のディスク載置部１ａを有するロータリートレイ１が筐体２のトレイ支持面３に設けた中心軸４に回転可能に枢支されると共に、前記ロータリートレイ１の下面に突設したリム１ｂが前記トレイ支持面３の外周部３ａに１２０°ごとに複数設けたガイドローラ５上に移動可能に載置されされている。
【０００３】
前記ガイドローラ５は、図８に示すように、トレイ支持面３の外周部３ａに凹設した凹部６内に挿入されると共に、該ガイドローラ５の両端面に突設した支軸５ａを凹部６の内側面に形成した軸孔７と長溝８とにそれぞれ回転可能に嵌入させ、そのガイドローラ５の外周面に摩擦係数が大きいゴム層を被覆しており、ロータリートレイ１を矢印ａ方向に回転させると、リム１ｂを介して各ガイドローラ５も回転されて、そのロータリートレイ１を円滑に回転させるようになっている。
【０００４】
図８に示すように、一端部を枢支軸９に揺動可能に枢支させ他端部にカムフロア１０を設けた揺動アーム１１ａと、外周面に形成したカム溝１２をカムフロア１０に係合させた回転カム１１ｂとを有する駆動機構１１が設けられ、前記揺動アーム１１ａにスピンドルモータ１３が固定されると共に、該スピンドルモータ１３の駆動軸１３ａにターンテーブル１４が嵌着され、揺動アーム１１ａに光ピックアップ１５が移動可能に配置され、ターンテーブル１４に対向するクランパ１６を一定範囲内上下動可能に支持するチャックアーム１７の先端側が中心軸４を介して筐体２の中心部に連結されると共に、該チャックアーム１７の後端部が筐体２の側壁部に連結されている。
【０００５】
上記構成において、図８に示すように、回転カム１１ｂを回転させてカム溝１２及びカムフロア１０を介して揺動アーム１１ａを上動させることにより、ロータリートレイ１側に移動させたターンテーブル１４とクランパ１６とによりディスクＤをチャッキングし、スピンドルモータ１３を駆動してターンテーブル１４を回転させ、光ピックアップ１５をディスクＤの半径方向に移動させることにより、例えばディスクＤに記録されている情報を光ピックアップ１５により読み取って再生するようになっている。
【０００６】
【発明が解決しようとする課題】
上記従来の構成では、ロータリートレイ１を支持するガイドローラ５の径が例えば８ｍｍ程度あり、その径が比較的大きくて嵩張るため、筐体２をコンパクト化する際の障害の一つになっていると共に、ガイドローラ５の配置位置及び個数（この例では３個）が限定され、ロータリートレイ１の支持が不安定になりやすい。
【０００７】
また、ロータリートレイ１が成形時の残留歪みにより変形して、リム１ｂの下縁の水平度に誤差が生じることがあり、これにより、ロータリートレイ１を回転させた際に、リム１ｂと各ガイドローラ５との接触圧に強弱が生じて、ロータリートレイ１の回転が一定せず、光ピックアップ１５による情報の読み取り間違いが生じるおそれがある。
【０００８】
更に、ガイドローラ５を回転させることにより、該ガイドローラ５とリム１ｂとの間の接触点やそのガイドローラ５の両支軸５ａと軸孔７及び長溝８との間の２つの接触点の合計３か所の接触点で不規則にスリップが生じ、そのスリップによる異音が比較的大きくて不快感を感じさせる。
【０００９】
本発明は、コンパクトで回転性及び静音性に優れたディスクチェンジャー型ディスクプレーヤーを提供することを目的としている。
【００１０】
【課題を解決するための手段】
上記目的を達成するため、請求項１記載の発明は、複数のディスク載置部を有するロータリートレイが筐体のトレイ支持面に設けた中心軸に回転可能に枢支されると共に、前記ロータリートレイの下面に突設したリムが前記トレイ支持面の外周部に周方向所定間隔をおいて複数設けたガイドローラ上に移動可能に載置されされており、ロータリートレイを所定角度間欠回転させることにより、所望のディスク載置部に載置されているディスクを光ピックアップに対向させるようにしたディスクチェンジャー型ディスクプレーヤーにおいて、前記各ガイドローラに代えて摩擦係数の小さいフッ素樹脂からなる複数の滑面ブロックが用いられ、該各滑面ブロックが、前記トレイ支持面の外周部内縁に沿って形成した凹段部周面と、該凹段部周面に対向して前記トレイ支持面の外周部に一体形成した略コ字状枠本体及び該枠本体の両端に一体突設した一対の略Ｌ字状係止片からなる支持枠との間の空隙内に嵌め込まれていることを特徴としている。
【００１１】
上記構成によれば、支持枠のコ字状枠本体と凹段部周面とで各滑面ブロックを水平方向に移動不能に支持すると共に、枠本体の両端に一体突設した一対の略Ｌ字状係止片により各滑面ブロックを浮き上がらないように支持するので、各滑面ブロックをトレイ支持面の外周部上の所定位置に確実に固定することができる。
【００１２】
また、ロータリートレイを支持する滑面ブロックの高さが極めて小さくして嵩張らないため、筐体をコンパクト化する際に該滑面ブロックが障害とならず、その滑面ブロックの配置位置及び個数を自由に設定してロータリートレイを安定的に支持することができる。
【００１３】
更に、ロータリートレイが成形時の残留歪みにより変形して、リムの下縁の水平度に誤差が生じても、多数の滑面ブロックによりロータリートレイの重量を分散して受け持つことにより、その各滑面ブロックとリムとの接触圧をほぼ一定に保持して、ロータリートレイの回転を安定させ、これによって、光ピックアップによる情報の読み取りを正確に行なうことができる。
【００１４】
しかも、ロータリートレイを回転させる際に、リムと滑面ブロックとの間の１か所の接触点でスリップが生じているだけであり、しかも、スリップ音が極めて小さい滑面ブロックを用いているので、従来に比べて静音性に優れており、各滑面ブロックに支持されたロータリートレイを長期にわたって静かに安定して回転させることができる。
【００１５】
請求項２記載の発明は、複数のディスク載置部を有するロータリートレイが筐体のトレイ支持面に設けた中心軸に回転可能に枢支されると共に、前記ロータリートレイの下面に突設したリムが前記トレイ支持面の外周部に設けたガイド部材上に移動可能に載置されされており、ロータリートレイを所定角度間欠回転させることにより、所望のディスク載置部に載置されているディスクを光ピックアップに対向させるようにしたディスクチェンジャー型ディスクプレーヤーにおいて、前記ガイド部材が、前記トレイ支持面の外周部に周方向所定間隔をおいて配列した摩擦係数の小さい複数の滑面ブロックからなることを特徴としている。
【００１６】
上記構成によれば、ロータリートレイを支持する各滑面ブロックの高さが極めて小さくして嵩張らないため、筐体をコンパクト化する際に該各滑面ブロックが障害とならず、その各滑面ブロックの配置位置及び個数を自由に設定してロータリートレイを安定的に支持することができる。
【００１７】
また、ロータリートレイが成形時の残留歪みにより変形して、リムの下縁の水平度に誤差が生じても、多数の滑面ブロックによりロータリートレイの重量を分散して受け持つことにより、その各滑面ブロックとリムとの接触圧をほぼ一定に保持して、ロータリートレイの回転を安定させ、これによって、光ピックアップによる情報の読み取りを正確に行なうことができる。
【００１８】
更に、ロータリートレイを回転させる際に、リムと滑面ブロックとの間の１か所の接触点でスリップが生じているだけであり、しかも、スリップ音が極めて小さい滑面ブロックを用いているので、従来に比べて静音性に優れている。
【００１９】
請求項３記載の発明は、請求項２記載の発明において、前記各滑面ブロックが、前記トレイ支持面の外周部内縁に沿って形成した凹段部周面と、該凹段部周面に対向して前記トレイ支持面の外周部に一体形成した支持枠との間の空隙内に嵌め込まれていることを特徴としている。
【００２０】
上記構成によれば、各滑面ブロックをトレイ支持面の凹段部周面と、それに対向する支持枠との間の空隙内に嵌め込むだけで、その各滑面ブロックを所定位置に固定することができる。
【００２１】
請求項４記載の発明は、請求項３記載の発明において、前記支持枠が、前記トレイ支持面の外周部に一体形成した略コ字状枠本体と、該枠本体の両端に一体突設した一対の略Ｌ字状係止片とからなり、その枠本体及び両係止片と前記凹段部周面との間の空隙内に前記各滑面ブロックを嵌め込むようにしたことを特徴としている。
【００２２】
上記構成によれば、コ字状枠本体と凹段部周面とで各滑面ブロックを水平方向に移動不能に支持すると共に、枠本体の両端に一体突設した一対の略Ｌ字状係止片により各滑面ブロックを浮き上がらないように支持しており、これによって、各滑面ブロックをトレイ支持面の外周部上の所定位置に確実に固定することができる。
【００２３】
請求項５記載の発明は、請求項２から４のいずれかに記載の発明において、前記各滑面ブロックがフッ素樹脂からなることを特徴としている。
【００２４】
上記構成によれば、各滑面ブロックが摩擦係数の小さいフッ素樹脂により形成されているので、その各滑面ブロックに支持されたロータリートレイを長期にわたって静かに安定して回転させることができる。
【００２５】
【発明の実施の形態】
図１及び図２は本発明の実施の一形態であるディスクチェンジャー型ディスクプレーヤーを示すものであって、ロータリートレイ１が複数の滑面ブロック２０により支持され、該各滑面ブロック２０が、合成樹脂製トレイ支持面３の外周部３ａの内縁に沿って形成した凹段部周面２１と、該凹段部周面２１に対向してトレイ支持面３の外周部３ａに一体形成した支持枠２２との間の空隙２３内に嵌め込まれている。上記以外の構成は図７及び図８に示す構成とほぼ同じであるから、同一部分に同一符号を付してその説明を省略する。
【００２６】
前記滑面ブロック２０は、例えばポリテトラフルオロエチレンやポリフッ化ビニリデンなどの摩擦係数が小さいフッ素樹脂からなり、図３及び図４に示すように、高さｔが０．８ｍｍ、幅ｄが５ｍｍ、長さｈが１５ｍｍの矩形ブロックからなり、トレイ支持面３の外周部３ａに所定角度（この実施の形態では６０°）ごとに多数（この実施の形態では６個）配列されている（図１参照）。
【００２７】
上記構成によれば、ロータリートレイ１を支持する各滑面ブロック２０の高さｔが極めて小さくして嵩張らないため、筐体２をコンパクト化する際に該各滑面ブロック２０が障害とならず、その各滑面ブロック２０の配置位置及び個数を自由に設定してロータリートレイ１を安定的に支持することができる。
【００２８】
前記支持枠２２は、図４から図６に示すように、トレイ支持面３の外周部３ａに一体形成した略コ字状枠本体２２ａと、該枠本体２２ａの両端に一体突設されて先端をその枠本体２２ａ内に向けて直角に折曲した一対の略Ｌ字状係止片２２ｂとからなっており、図５に仮想線で示すように、支持枠２２の斜め上方から各滑面ブロック２０の一端を枠本体２２ａと両係止片２２ｂとの間に差し込んで押し込むだけで、その各滑面ブロック２０を枠本体２２ａ及び両係止片２２ｂと凹段部周面２１との間の空隙２３内に嵌め込むことができる。
【００２９】
上記構成によれば、コ字状枠本体２２ａと凹段部周面２１とで各滑面ブロック２０を水平方向に移動不能に支持すると共に、枠本体２２ａの両端に一体突設した一対の略Ｌ字状係止片２２ｂにより各滑面ブロック２０を浮き上がらないように支持しており、これによって、各滑面ブロック２０をトレイ支持面３の外周部３ａ上の所定位置に確実に固定することができる。
【００３０】
上記構成において、図２に示すように、各滑面ブロック２０上に載置したロータリートレイ１を所定角度間欠回転させることにより、所望のディスク載置部１ａに載置されているディスクＤを光ピックアップ１５に対向させ、回転カム１１ｂを回転させてカム溝１２及びカムフロア１０を介して揺動アーム１１ａを上動させることにより、ロータリートレイ１側に移動させたターンテーブル１４とクランパ１６とによりディスクＤをチャッキングし、スピンドルモータ１３を駆動してターンテーブル１４を回転させ、光ピックアップ１５をディスクＤの半径方向に移動させることにより、例えばディスクＤに記録されている情報を光ピックアップ１５により読み取って再生するようになっている。
【００３１】
この場合、ロータリートレイ１が成形時の残留歪みにより変形して、リム１ｂの下縁の水平度に誤差が生じても、多数の滑面ブロック２０によりロータリートレイ１の重量を分散して受け持つことにより、その各滑面ブロック２０とリム１ｂとの接触圧をほぼ一定に保持して、ロータリートレイ１の回転を安定させ、これによって、光ピックアップ１５による情報の読み取りを正確に行なうことができる。
【００３２】
また、ロータリートレイ１を回転させる際に、リム１ｂと滑面ブロック２０との間の１か所の接触点でスリップが生じているだけであり、しかも、スリップ音が極めて小さい滑面ブロック２０を用いているので、従来に比べて静音性に優れており、各滑面ブロック２０に支持されたロータリートレイ１を長期にわたって静かに安定して回転させることができる。
【００３３】
【発明の効果】
請求項１記載の発明によれば、支持枠のコ字状枠本体と凹段部周面とで各滑面ブロックを水平方向に移動不能に支持すると共に、枠本体の両端に一体突設した一対の略Ｌ字状係止片により各滑面ブロックを浮き上がらないように支持するので、各滑面ブロックをトレイ支持面の外周部上の所定位置に確実に固定することができる。
【００３４】
また、ロータリートレイを支持する滑面ブロックの高さが極めて小さくして嵩張らないため、筐体をコンパクト化する際に該滑面ブロックが障害とならず、その滑面ブロックの配置位置及び個数を自由に設定してロータリートレイを安定的に支持することができる。
【００３５】
更に、ロータリートレイが成形時の残留歪みにより変形して、リムの下縁の水平度に誤差が生じても、多数の滑面ブロックによりロータリートレイの重量を分散して受け持つことにより、その各滑面ブロックとリムとの接触圧をほぼ一定に保持して、ロータリートレイの回転を安定させ、これによって、光ピックアップによる情報の読み取りを正確に行なうことができる。
【００３６】
しかも、ロータリートレイを回転させる際に、リムと滑面ブロックとの間の１か所の接触点でスリップが生じているだけであり、しかも、スリップ音が極めて小さい滑面ブロックを用いているので、従来に比べて静音性に優れており、各滑面ブロックに支持されたロータリートレイを長期にわたって静かに安定して回転させることができる。
【００３７】
請求項２記載の発明によれば、ロータリートレイを支持する各滑面ブロックの高さが極めて小さくして嵩張らないため、筐体をコンパクト化する際に該各滑面ブロックが障害とならず、その各滑面ブロックの配置位置及び個数を自由に設定してロータリートレイを安定的に支持することができる。
【００３８】
また、ロータリートレイが成形時の残留歪みにより変形して、リムの下縁の水平度に誤差が生じても、多数の滑面ブロックによりロータリートレイの重量を分散して受け持つことにより、その各滑面ブロックとリムとの接触圧をほぼ一定に保持して、ロータリートレイの回転を安定させ、これによって、光ピックアップによる情報の読み取りを正確に行なうことができる。
【００３９】
更に、ロータリートレイを回転させる際に、リムと滑面ブロックとの間の１か所の接触点でスリップが生じているだけであり、しかも、スリップ音が極めて小さい滑面ブロックを用いているので、従来に比べて静音性に優れている。
【００４０】
請求項３記載の発明によれば、各滑面ブロックをトレイ支持面の凹段部周面と、それに対向する支持枠との間の空隙内に嵌め込むだけで、その各滑面ブロックを所定位置に固定することができる。
【００４１】
請求項４記載の発明によれば、コ字状枠本体と凹段部周面とで各滑面ブロックを水平方向に移動不能に支持すると共に、枠本体の両端に一体突設した一対の略Ｌ字状係止片により各滑面ブロックを浮き上がらないように支持しており、これによって、各滑面ブロックをトレイ支持面の外周部上の所定位置に確実に固定することができる。
【００４２】
請求項５記載の発明によれば、各滑面ブロックが摩擦係数の小さいフッ素樹脂により形成されているので、その各滑面ブロックに支持されたロータリートレイを長期にわたって静かに安定して回転させることができる。
【図面の簡単な説明】
【図１】  本発明の実施の一形態であるディスクチェンジャー型ディスクプレーヤーを示す平面図である。
【図２】  同概略縦断面図である。
【図３】  同要部の斜視図である。
【図４】  同要部の分解斜視図である。
【図５】  同要部の縦断面図である。
【図６】  図５のＡ−Ａ矢視図である。
【図７】  従来例を示す平面図である。
【図８】  同概略縦断面図である。
【符号の説明】
１        ロータリートレイ
１ａ      ディスク載置部
１ｂ      リム
２        筐体
３        トレイ支持面
３ａ      トレイ支持面の外周部
４        中心軸
２０      滑面ブロック
２１      凹段部周面
２２      支持枠
２２ａ    枠本体
２２ｂ    係止片
２３      空隙
Ｄ        ディスク
【図１】
0003648707.tif 000002
【図２】
0003648707.tif 000003
【図３】
0003648707.tif 000004
【図４】
0003648707.tif 000005
【図５】
0003648707.tif 000006
【図６】
0003648707.tif 000007
【図７】
0003648707.tif 000008
【図８】
0003648707.tif 000009